(57)【要約】      （修正有）【課題】種々の場面に応じて使用態様を容易に変化させることを可能にするマスクを提供する。【解決手段】マスク１０は、シート状部１６と、シート状部１６に設けられた右耳掛け部１８及び左耳掛け部２０とを備えたマスク本体部１２と、マスク本体部１２のシート状部１６の一方の面に設けられた面取付部１４とを備える。面取付部１４は、マスクや外側部材などの取付部材が着脱可能に取り付けられるように構成されている。【選択図】図１
0003233221.tif 000002
【実用新案登録請求の範囲】
【請求項１】
シート状部と、該シート状部に設けられた右耳掛け部及び左耳掛け部とを備えたマスク本体部と、
該マスク本体部の前記シート状部の少なくとも一方の面に設けられた面取付部であって、取付部材が着脱可能に取り付けられるように構成されている、面取付部と
を備えた、マスク。
【請求項２】
前記面取付部は前記シート状部の外側に設けられている、
請求項１に記載のマスク。
【請求項３】
前記面取付部は、面ファスナーの雌係合部を備えている、
請求項１又は２に記載のマスク。
【請求項４】
前記面取付部は、面ファスナーの雄係合部を備えている、
請求項１又は２に記載のマスク。
【請求項５】
前記面取付部の係合部は、前記マスク本体部の前記シート状部の前記面取付部が設けられた面の半分以上を覆うように設けられている、
請求項１から４のいずれか一項に記載のマスク。
【請求項６】
前記取付部材は、前記シート状部の前記面取付部が設けられた面の半分以上を覆うことを可能にする部材である、
請求項１から５のいずれか一項に記載のマスク。
【請求項７】
前記取付部材は、不織布のマスクである、
請求項４に記載のマスク。
【請求項８】
前記面取付部と前記取付部材との間に収容部材を収容する空間が形成されるように、前記取付部材が形成されている、
請求項１から７のいずれか一項に記載のマスク。
【考案の詳細な説明】
【技術分野】
【０００１】
本考案は、マスクに関する。
【背景技術】
【０００２】
ウイルス感染対策として、季節を問わずマスクの着用が日常化されつつある。そのようなマスクに関して種々の提案がなされていて、例えば特許文献１は、夏場など暑い環境下での長時間のマスクの着用に際して、マスク内の蒸れやベタ付きによる不快感を低減しうるマスク用呼気排出具を提案する。
【先行技術文献】
【特許文献】
【０００３】
【特許文献１】実用新案登録第３２２８９４４号
【考案の概要】
【考案が解決しようとする課題】
【０００４】
マスクの着用が日常化している現在において、同一マスクをつけた状態で、プライベートな時間を過ごしたり、仕事をしたりすることがある。また、仕事中に、異なる客に対して次々に対応しなければならない場合がある。本考案は、種々の場面に応じてマスクの使用態様を容易に変化させることを可能にする構成を提供することを目的とする。
【課題を解決するための手段】
【０００５】
本考案に係る一態様は、
シート状部と、該シート状部に設けられた右耳掛け部及び左耳掛け部とを備えたマスク本体部と、
該マスク本体部の前記シート状部の少なくとも一方の面に設けられた面取付部であって、取付部材が着脱可能に取り付けられるように構成されている、面取付部と
を備えた、マスク
を提供する。
【０００６】
好ましくは、前記面取付部は前記シート状部の外側に設けられている。
【０００７】
好ましくは、前記面取付部は、面ファスナーの雌係合部を備えている。
【０００８】
好ましくは、前記面取付部は、面ファスナーの雄係合部を備えている。
【０００９】
好ましくは、前記面取付部の係合部は、前記マスク本体部の前記シート状部の前記面取付部が設けられた面の半分以上を覆うように設けられている。
【００１０】
好ましくは、前記取付部材は、前記シート状部の前記面取付部が設けられた面の半分以上を覆うことを可能にする部材である。
【００１１】
好ましくは、前記取付部材は、不織布のマスクである。
【００１２】
好ましくは、前記面取付部と前記取付部材との間に収容部材を収容する空間が形成されるように、前記取付部材が形成されている。
【考案の効果】
【００１３】
本考案の上記態様によれば、マスク本体部のシート状部の少なくとも一方の面に設けられた面取付部に取付部材を着脱可能に取り付けることができる。例えば、シート状部の外側に、取付部材として、シート状部の一方の面の半分以上を覆うことを可能にする部材を取り付けたり、不織布のマスクを取り付けたり、装飾用部材を取り付けたりすることで、種々の場面に応じてマスクの使用態様を容易に変化させることができる。
【図面の簡単な説明】
【００１４】
【図１】第１実施形態に係るマスクを示す図である。
【図２】取付部材である市販のマスクが取り付けられた、図１のマスクを示す図である。
【図３】第２実施形態に係るマスクを示す図である。
【図４】図３のマスクに着脱可能に取り付けられる取付部材の一例であり、マスク本体部のシート状部の一方の面の半分以上を覆うことを可能にする部材である。
【図５】図４の取付部材が取り付けられた、図３のマスクを示す図である。
【図６】２つの装飾用部材が取り付けられた、図３のマスクを示す図である。
【考案を実施するための形態】
【００１５】
以下、図面を参照して、本考案に係る実施形態を説明する。
【００１６】
図１は、第１実施形態に係るマスク１０を表した図である。マスク１０は、マスク本体部１２と、このマスク本体部１２の一方の面に設けられた面取付部１４とを備える。
【００１７】
マスク本体部１２は、シート状部１６、右耳掛け部１８、及び、左耳掛け部２０を備える。
【００１８】
シート状部１６は、マスク１０の着用者の口及び鼻を覆うように形成されている。ここでは、図１から理解できるように、略台形のシート片１６ａ、１６ｂを縫い合わせることで、一枚のシート状部１６は形成されている。その縫い合わせ部は図１においてシート状部１６の略中央で上下に延びる。マスク１０を着用者が着用したとき、縫い合わせ部は着用者の鼻筋に沿って口まで延びることができる。しかし、シート状部１６は、当初から一枚のシートとして作製されてもよい。シート状部１６は、ここでは布でできているが、花粉及び／又はウイルスなどをある程度以上遮断するように密な素材でできている。シート状部１６は、布で作られることに限定されず、不織布などの、従来からマスクの材料として用いられている材料で作ることも可能であり、プラスチックフィルムなどの材料で作られることも排除するものではない。
【００１９】
右耳掛け部１８及び左耳掛け部２０は、着用者の右耳及び左耳がそれぞれ引っ掛かることを可能にする部分であり、シート状部１６の右端及び左端のそれぞれに設けられている。ここでは、右耳掛け部１８及び左耳掛け部２０はそれぞれひも状の部分として構成されていて、縫い付けることで右耳掛け部１８及び左耳掛け部２０はシート状部１６に取り付けられている。右耳掛け部１８及び左耳掛け部２０はそれぞれ弾性材であるゴムでできている。なお、右耳掛け部１８及び左耳掛け部２０はそれぞれシート状部１６に孔を設けることで形成されてもよい。このとき、右耳掛け部１８及び左耳掛け部２０はある程度の伸縮性を有するように、シート状部１６の部分又は全体も伸び縮み可能であるように伸縮性を有する材料で作製されるとよい。なお、右耳掛け部１８及び左耳掛け部２０の各々は、右耳掛け部１８及び左耳掛け部２０とが、フックなどで後頭部で相互に接続されるようにして、耳に掛けることなしに、マスクが装着されるようにしてもよい。
【００２０】
マスク本体部１２のシート状部１６の外側に面取付部１４が設けられている。つまり、面取付部１４はシート状部１６の外面１６ｏに設けられていて、外面１６ｏに実質的に相当する。マスク本体部１２のシート状部１６の内面（不図示）が着用者の鼻や口に対向するように、例えば接し得るように、マスク１０は着用者に装着される。ここでは、シート状部１６の内面と反対側を向いた外面１６ｏに、面取付部１４は設けられている。面取付部１４は、面ファスナーの複数のフックを備える雄係合部１４ｍを備える。雄係合部１４ｍは、ここでは円形のシート状片であるが、角形など種々の形状にされてもよい。マスク１０では、複数の雄係合部１４ｍが面取付部１４として設けられている。ここでは、雄係合部１４ｍは、シート状部１６の外面１６ｏに、他の雄係合部１４ｍから離して分散するように設けられていて、シート片１６ａ、１６ｂの４つの隅部の各々に設けられている。つまり、８つの雄係合部１４ｍが用いられているが、用いられる雄係合部１４ｍの数は８つ以外であってもよく、例えば１つでも、２つでも、９つ以上であってもよい。マスク１０では、シート状部１６の外面１６ｏの一部にのみ雄係合部１４ｍが設けられているが、外面１６ｏの全体に雄係合部１４ｍが設けられてもよい。雄係合部１４ｍはそれぞれシート状部１６に縫い付けられて設けられているが、他の手段又は方法により設けられてもよく、例えば接着されてもよい。なお、面取付部１４つまり雄係合部１４ｍがシート状部１６に設けられた状態で、その雄係合部１４ｍは外側に露出する。
【００２１】
面取付部１４の雄係合部１４ｍには、面ファスナーのループを複数備える雌係合部が着脱自在に係合することができる。更に、雄係合部１４ｍには、不織布などが直接的に係合することができる。この場合、不織布の繊維はループとして機能し得る。
【００２２】
ここで、例えば市販の不織布のマスクＭを取付部材として用いる場合について説明する。マスクＭをマスク１０に取り付けたところを図２に示す。図２は、マスク１０の外側にマスクＭを重ねてそれらを係合させたところを示す。マスクＭのシート状部Ｍ１の内面の幾つかの繊維がマスク本体部１２のシート状部１６に設けられた面取付部１４の雄係合部１４ｍに対向して係合することで、マスクＭはマスク１０の面取付部１４に着脱可能に取り付けられる。ここではマスクＭのシート状部Ｍ１はシート状部１６の外面１６ｏとほぼ同じ形状及び大きさを有するので、マスクＭを面取付部１４に取り付けることで、シート状部１６はマスクＭのシート状部Ｍ１で実質的に覆われる。これにより、マスク１０は、花粉及び／又はウイルスを更により一層好適に防ぐ機能を発揮することができる。図２では、マスクＭのシート状部Ｍ１の両側に設けられた左右の耳掛け部（不図示）はそれぞれマスクＭのシート状部Ｍ１とマスク本体部１２のシート状部１６との間に折り曲げて入れられているが、マスク１０の耳掛け部１８、２０とともに２重に用いられてもよい。なお、マスクＭの代わりに、シート状部Ｍ１に相当する単なる不織布が用いられてもよい。
【００２３】
そして、マスクＭはシート状部１６の面取付部１４から着脱可能であるので、マスク１０の着用者は、例えば、病院又は店舗において、ある人と対面した後、別の人と対面する前に、マスクＭを容易に取り換えて、マスク１０を使用し続けることができる。また、マスクＭは着脱可能であるので、そのマスクＭのみを取り外して洗浄したり、使い捨てたりすることが可能になる。
【００２４】
なお、マスク１０の面取付部１４に着脱可能に取り付けられる取付部材はマスクＭに限定されない。前述のように、面取付部１４の雄係合部１４ｍには、面ファスナーのループを複数備える雌係合部が着脱自在に係合することができるので、その雌係合部を備える種々の部材を取付部材として面取付部１４に取り付けることができる。
【００２５】
また、後述する装飾用部材２６、２８に雌係合部を設けて、マスク１０の面取付部１４に取り付けてもよい。上記構成のマスク１０において、マスクＭを場面に応じて交換したり、種々の取付部材を場面に応じて交換したりすることが可能であり、よって種々の場面に応じてマスク１０の使用態様をより容易に変化させることが可能になる。
【００２６】
次に、本考案の第２実施形態に係るマスク１１０を説明する。以下では、既に説明した構成要素に対応する構成要素に、その既に説明した構成要素に付した符号を同様に付して、その重複説明を省略する。
【００２７】
マスク１１０も、第１実施形態のマスク１０と同様に、マスク本体部１２と、このマスク本体部１２のシート状部１６の外側に設けられた面取付部１４とを備える。面取付部１４は、面ファスナーの複数のループを備える雌係合部１４ｆを備えたシート状部材である。ここでは、シート状部１６の外面１６ｏの全てを実質的に覆うように、面取付部１４はシート状部１６に縫い付けられて設けられている。なお、面取付部１４がシート状部１６に取り付けられた状態で、その雌係合部１４ｆは外側に露出し、面取付部１４のほぼ全体に存在する。
【００２８】
面取付部１４は、シート状部１６の外面１６ｏのほぼ全面を覆う形及び大きさを有する。しかし、面取付部１４の雌係合部１４ｆは、シート状部１６の外側の一部のみを覆うように構成されてもよく、例えば、その外縁部に沿って延びる環状のシート状部材であってもよい。好ましくは、面取付部１４の雌係合部１４ｆは、マスク本体部１２のシート状部１６の面取付部１４が設けられた面である外面１６ｏの半分以上を覆うように設けられる。
【００２９】
面取付部１４の雌係合部１４ｆには、面ファスナーのフックを複数備える雄係合部２２ｍが着脱自在に係合することができる。その雄係合部２２ｍを備えた取付部材の一例を図４に示す。図４に示す取付部材の一例の外側部材２４は、シート状部１６の外面１６ｏの半分以上を覆うことを可能にする部材である。ここでは、外側部材２４は布製部材であるが、その他の材料、例えば不織布で作製されてもよい。好ましくは、外側部材２４は、花粉及び／又はウイルスを十分に遮断することができるとよい。外側部材２４の一方の面（図４の紙面表側の面）には、環状の雄係合部２２ｍが設けられている。雄係合部２２ｍは、ここでは接着で、外側部材２４の一方の面に設けられているが、その他の手段又は方法で、例えば縫い付けることで外側部材２４に設けられてもよい。なお、外側部材２４の一方の面の一部にのみ雄係合部２２ｍが設けられるが、これに限定されず、例えばその全体に雄係合部２２ｍが設けられてもよい。
【００３０】
この外側部材２４をマスク１１０に取り付けたところを図５に示す。外側部材２４の雄係合部２２ｍがマスク本体部１２のシート状部１６に設けられた面取付部１４の雌係合部１４ｆに対向して係合することで、外側部材２４はマスク１１０の面取付部１４に着脱可能に取り付けられる。外側部材２４はシート状部１６の外面１６ｏつまり面取付部１４とほぼ同じ形状及び大きさを有するので、外側部材２４を面取付部１４に取り付けることで、シート状部１６は外側部材２４で実質的に覆われる。これにより、マスク１１０は花粉及び／又はウイルスを防ぐ機能をより好適に発揮することができる。
【００３１】
そして、外側部材２４はシート状部１６の面取付部１４から着脱可能であるので、マスク１１０の着用者は、例えば、病院又は店舗において、ある人と対面した後、別の人と対面する前に、外側部材２４を別の取付部材に、例えば別の外側部材２４に容易に取り換えて、マスク１１０を使用し続けることができる。また、外側部材２４は着脱可能であるので、その外側部材２４のみを取り外して洗浄したり、使い捨てたりすることが可能になる。
【００３２】
雄係合部２２ｍを備えた取付部材の他の例としては、装飾用部材を挙げることができる。そのような装飾用部材２６、２８が着脱可能に取り付けられたマスク１１０を図６に示す。装飾用部材２６は星形の部材であり、その裏側面に雄係合部２２ｍが設けられている。また、装飾用部材２８は円形の部材であり、その裏側面に雄係合部２２ｍが設けられている。したがって、装飾用部材２６、２８は、その雄係合部２２ｍをマスク本体部１２のシート状部１６に設けた面取付部１４の雌係合部１４ｆに対向させて係合させることで、マスク１０の面取付部１４につまりマスク本体部１２に着脱可能に取り付けられる。なお、装飾用部材２６、２８は面取付部１４の雌係合部１４ｆの一部のみを覆うようにそこに取り付けられるが、取付時にその雌係合部１４ｆの全面を覆うように構成されてもよい。また、面取付部１４に取り付けられる取付部材の数は２つに限定されず、１つでも、３つ以上であってもよい。
【００３３】
例えば、病院又はオフィス等の職場、電車などの車内においては、着用者は不特定多数の方々と同じ狭い空間にいるので、外側部材２４をマスク本体部１２に取り付けて、マスク１１０は用いられ得る。そして、上述のように、例えば外側部材２４を取り換えて、マスク１１０を使用し続けることができる。一方、着用者が友達又は家族などとともに余暇を楽しむとき、装飾用部材２６、２８をマスク本体部１２に取り付けて、マスク１１０は用いられ得る。このように、上記構成のマスク１１０であれば、外側部材２４を場面に応じて交換したり、種々の取付部材２４、２６、２８を場面に応じて交換したりすることが可能であり、よって種々の場面に応じてマスク１０の使用態様をより容易に変化させることが可能になる。
【００３４】
外側部材２４とマスク本体部１２のシート状部１６との間の雄係合部２２ｍに囲まれている領域に、ウイルスガード用の素材、活性炭などの消臭機能を有する素材などの種々の収容部材が入れられてもよい。つまり、面取付部１４と取付部材である外側部材２４との間に収容部材を収容する空間が形成されるように、外側部材２４は形成されている。このような空間は、種々の取付部材とシート状部１６との間の領域においても同様に形成されてもよい。外側部材２４とマスク本体部１２との間の領域に挿入された、消臭、ウイルス除去機能などを有する収容部材は、容易に交換することができると共に、マスクの外観を維持したまま、マスクの機能を容易に増強、追加、又は変更することができる。この収容部材は、第１実施形態の上記マスク１０においても同様に用いられ得る。
【００３５】
なお、マスクＭ、外側部材２４などの外面に種々のデザインを施して、それらを装飾用部材とすることも可能である。
【００３６】
取付部材は、マスクＭ、外側部材２４のように布、不織布等で作製され得るが、それ以外の材料で作製されてもよい。例えば上記装飾用部材２６、２８の材質は布又は不織布であっても、合成樹脂でもよい。
【００３７】
なお、外側部材２４などにおける雄係合部２２ｍなどの係合部は、種々の形状を有することができる。外側部材２４などの取付部材には１つ又は複数の係合部が、また異なる形状の係合部が設けられてもよい。
【００３８】
なお、マスクＭ及び外側部材２４などは、ウイルスをガードする機能を有することが望ましいが、ウイルスをガードする機能が高いことが必須であるわけではなく、装飾の機能を主として備えるものであってもよいことは言うまでもない。
【００３９】
更に、上記マスク１０では、マスク本体部１２の外側の面取付部１４に雄係合部１４ｍが設けられ、例えば取付部材に雌係合部が設けられることを述べた。更に、上記マスク１１０では、マスク本体部１２の外側の面取付部１４に雌係合部１４ｆが設けられ、取付部材に雄係合部２２ｍが設けられた。このように、本開示のマスクでは、マスク本体部１２側に雄係合部が設けられ、取付部材に雌係合部が設けられてもよく、マスク本体部１２側に雌係合部が設けられ、取付部材に雄係合部が設けられてもよい。ただし、好ましくは、マスク１０のシート状部１６の外面１６ｏのほぼ全部に面取付部１４の係合部が設けられる場合、マスクの着用者の手触りなどのために、マスク本体部１２側に雌係合部１４ｆが設けられ、取付部材側に雄係合部２２ｍが設けられるとよい。
【００４０】
なお、取付部材が着脱可能に取り付けられるように構成されている面取付部は、マスク本体部のシート状部の少なくとも一方の面に設けられ得、その内側の面に設けられることも可能である。つまり、マスクＭ、外側部材２４などの外側に設ける取付部材以外に、シート状部１６には、シート状部１６の内側の一部又は全部を覆うことができる取付部材つまり内側部材が着脱可能に設けられてもよい。このとき、内側部材の取り付けも面ファスナーを用いて行われるとよく、好ましくはシート状部１６の内側に面ファスナーのうちの雌係合部１４ｆが設けられるとよい。例えば、マスク本体部１２のシート状部１６は、外側部材２４と、更に内側部材とが設けられることで、例えば３層以上の複数層にされてもよい。加えて、例えば前記３層のそれぞれの層間で形成された２つの領域の一方又は両方に、上述のように消臭、ウイルス除去機能などを有する収容部材が挿入されてもい。このように、例えば３層のそれぞれの層間で形成された２つの領域の一方又は両方に上記収容部材が挿入されて、合計で、４層又は５層のマスクが形成されるようにしてもよい。
なお、外側部材２４を複数枚積層可能に、面ファスナーの雌係合部１４ｆと雄係合部２２ｍとを外側部材２４の両面にそれぞれ設けてもよい。この場合、外側部材２４を複数重ねて設けることでマスク本体部１２のシート状部１６を３層以上に構成してもよい。
【００４１】
なお、マスクＭ、外側部材２４などの取付部材などを取り付けないで、マスク１０、１１０は用いられてもよい。
【００４２】
以上、上記実施形態及びその変形例について説明したが、本考案はそれらに限定されない。本願の実用新案登録請求の範囲によって定義される本考案の精神及び範囲から逸脱しない限り、種々の置換、変更が可能である。
【符号の説明】
【００４３】
１０、１１０  マスク
１２  マスク本体部
１４  面取付部
１４ｆ  雌係合部
１４ｍ、２２ｍ  雄係合部
２４  外側部材（取付部材）
２６、２８  装飾用部材（取付部材）
Ｍ  不織布のマスク（取付部材）
【図１】
0003233221.tif 000003
【図２】
0003233221.tif 000004
【図３】
0003233221.tif 000005
【図４】
0003233221.tif 000006
【図５】
0003233221.tif 000007
【図６】
0003233221.tif 000008